(57)【要約】【課題】部品点数を増加させることなく、光源からの熱を効率よく放熱することが可能な表示モジュールを提供する。【解決手段】この液晶表示モジュール４０（表示モジュール）は、ＬＥＤ５１が実装される実装面５２ａを有するガラスエポキシ基板５２と、実装面５２ａと対向するように配置され、ＬＥＤ５１から入射された光を液晶表示セル６０に導光する導光板５３と、ガラスエポキシ基板５２の実装面５２ａとは反対側の面が取り付けられ、ＬＥＤ５１からの熱を放熱する機能を有する金属製のリアフレーム４３とを備え、リアフレーム４３は、ガラスエポキシ基板５２が取り付けられる基板取付部４３ｃと、基板取付部４３ｃの一方端部から導光板５３とは反対側に延びる第１放熱部４３ｄと、基板取付部４３ｃの他方端部から第１放熱部４３ｄとは反対側に延びる第２放熱部４３ｅとを一体的に含む。【選択図】図３
2012221787.tif 000002
【特許請求の範囲】
【請求項１】
光源が実装される実装面を有する基板と、
前記基板の実装面と対向するように配置され、前記光源から入射された光を表示セルに導光する導光板と、
前記基板の実装面とは反対側の面が取り付けられ、前記光源からの熱を放熱する機能を有する金属製の板状部材とを備え、
前記板状部材は、前記基板が取り付けられる基板取付部と、前記基板取付部の一方端部から前記導光板とは反対側に延びる第１放熱部と、前記基板取付部の他方端部から前記第１放熱部とは反対側に延びる第２放熱部とを一体的に含む、表示モジュール。
【請求項２】
前記板状部材の前記第１放熱部は、前記基板取付部の他方端部側に折り返された折り返し部を含む、請求項１に記載の表示モジュール。
【請求項３】
前記板状部材の前記第１放熱部は、前記基板取付部の一方端部から前記基板取付部に対して交差する方向に延びる平坦面状の平坦部分と、前記平坦部分の端部から前記基板取付部の他方端部側に折り返された前記折り返し部とを含む、請求項２に記載の表示モジュール。
【請求項４】
前記板状部材の前記第１放熱部の前記折り返し部は、前記基板取付部の一方端部から平坦部分を介さずに前記基板取付部の他方端部側に折り返されている、請求項２に記載の表示モジュール。
【請求項５】
前記板状部材は、前記導光板および前記基板を保持する保持部材である、請求項１〜４のいずれか１項に記載の表示モジュール。
【請求項６】
光源が実装される実装面を有する基板と、
前記基板の実装面と対向するように配置され、前記光源から入射された光を表示セルに導光する導光板と、
前記基板の実装面とは反対側の面が取り付けられ、前記光源からの熱を放熱する機能を有する金属製の板状部材とを含む表示モジュールと、
前記表示モジュールを内部に収容する筐体とを備え、
前記板状部材は、前記基板が取り付けられる基板取付部と、前記基板取付部の一方端部から前記導光板とは反対側に延びる第１放熱部と、前記基板取付部の他方端部から前記第１放熱部とは反対側に延びる第２放熱部とを一体的に含む、表示装置。
【発明の詳細な説明】
【技術分野】
【０００１】
この発明は、表示モジュールおよび表示装置に関し、特に、光源が実装される基板と、光源からの熱を放熱する機能を有する金属製の板状部材とを備える表示モジュールおよび表示装置に関する。
【背景技術】
【０００２】
従来、光源が実装される基板と、光源からの熱を放熱する機能を有する金属製の板状部材とを備える表示モジュールが知られている（たとえば、特許文献１参照）。
【０００３】
上記特許文献１には、ＬＥＤ（Ｌｉｇｈｔ  Ｅｍｉｔｔｉｎｇ  Ｄｉｏｄｅ）（光源）が実装されるＰＣＢ（Ｐｒｉｎｔｅｄ  Ｃｉｒｃｕｉｔ  Ｂｏａｒｄ）（基板）と、熱伝導性を有する板金材からなるライトフレームおよび押え板とを備える照明装置が開示されている。この照明装置は、液晶表示モジュールのバックライトとして用いられる。この照明装置では、ライトフレームは、Ｌ字形状の断面を有するように形成されているとともに、押え板は、Ｕ字形状の断面を有するように形成されている。Ｌ字形状の断面を有するライトフレームの内側面は、ＰＣＢのＬＥＤが実装されていない裏面に取り付けられるとともに、ＰＣＢの表面と導光板とを互いに対向させた状態で保持するように構成されている。また、Ｕ字形状の断面を有する押え板の内側面は、ＰＣＢのＬＥＤが実装されている表面のＬＥＤ以外の部分に取り付けられるように構成されている。すなわち、この照明装置では、押え板の内側面とライトフレームの内側面とによって、ＰＣＢが挟み込まれている。これにより、ＬＥＤが光を発する際に発生する熱は、ＰＣＢに伝達された後、ＰＣＢの表面および裏面に取り付けられた押え板およびライトフレームを介して放熱される。その結果、ＬＥＤからの熱がＬＥＤに対して両側（ＰＣＢの表面側およびＰＣＢの裏面側）に効率よく放熱される。
【先行技術文献】
【特許文献】
【０００４】
【特許文献１】特開２００７−１２４１６号公報
【発明の概要】
【発明が解決しようとする課題】
【０００５】
しかしながら、上記特許文献１に開示された照明装置では、ＬＥＤからの熱をＬＥＤに対して両側（ＰＣＢの表面側およびＰＣＢの裏面側）に効率よく放熱するためにパネルフレームおよび押え板の２つの部品を用いているため、部品点数が増加するという問題点がある。
【０００６】
この発明は、上記のような課題を解決するためになされたものであり、この発明の１つの目的は、部品点数を増加させることなく、光源からの熱を効率よく放熱することが可能な表示モジュールおよび表示装置を提供することである。
【課題を解決するための手段および発明の効果】
【０００７】
この発明の第１の局面による表示モジュールは、光源が実装される実装面を有する基板と、基板の実装面と対向するように配置され、光源から入射された光を表示セルに導光する導光板と、基板の実装面とは反対側の面が取り付けられ、光源からの熱を放熱する機能を有する金属製の板状部材とを備え、板状部材は、基板が取り付けられる基板取付部と、基板取付部の一方端部から導光板とは反対側に延びる第１放熱部と、基板取付部の他方端部から第１放熱部とは反対側に延びる第２放熱部とを一体的に含む。
【０００８】
この発明の第１の局面による表示モジュールでは、上記のように、基板の実装面とは反対側の面が取り付けられ、光源からの熱を放熱する機能を有する金属製の板状部材を、基板が取り付けられる基板取付部と、基板取付部の一方端部から導光板とは反対側に延びる第１放熱部と、基板取付部の他方端部から第１放熱部とは反対側に延びる第２放熱部とを一体的に含むように形成する。これにより、基板の実装面とは反対側の面が取り付けられた板状部材（基板取付部）に一体的に形成された第１放熱部および第２放熱部により、光源からの熱を光源に対して両側（第１放熱部の延びる方向側および第２放熱部の延びる方向側）に放熱することができる。その結果、光源からの熱を光源に対して両側に放熱するための部材を別個に設ける場合と異なり、部品点数を増加させることなく、光源からの熱を効率よく放熱することができる。
【０００９】
上記第１の局面による表示モジュールにおいて、好ましくは、板状部材の第１放熱部は、基板取付部の他方端部側に折り返された折り返し部を含む。このように構成すれば、第１放熱部を基板取付部の他方端部側に折り返すことにより、第１放熱部の導光板に対して反対方向の長さ（平面積）を小さくしながら、放熱面積を大きくすることができる。これにより、表示モジュールの省スペース化を図りながら、第１放熱部による放熱効果を向上させることができる。
【００１０】
この場合、好ましくは、板状部材の第１放熱部は、基板取付部の一方端部から基板取付部に対して交差する方向に延びる平坦面状の平坦部分と、平坦部分の端部から基板取付部の他方端部側に折り返された折り返し部とを含む。このように構成すれば、平坦面状の平坦部分と、平坦部分の端部から基板取付部の他方端部側に折り返された折り返し部とによって、放熱面積を容易に大きくすることができるので、第１放熱部による放熱効果を容易に向上させることができる。
【００１１】
上記板状部材の第１放熱部が折り返し部を含む表示モジュールにおいて、好ましくは、板状部材の第１放熱部の折り返し部は、基板取付部の一方端部から平坦部分を介さずに基板取付部の他方端部側に折り返されている。このように構成すれば、第１放熱部を平坦部分を介さずに基板取付部の他方端部側に折り返すことにより、第１放熱部の導光板に対して反対方向の長さ（平面積）をより小さくすることができるので、表示モジュールの更なる省スペース化を図ることができる。
【００１２】
上記第１の局面による表示モジュールにおいて、好ましくは、板状部材は、導光板および基板を保持する保持部材である。このように構成すれば、放熱のための板状部材と保持部材とを別部材とする場合に比べて、部品点数をさらに減少させることができる。
【００１３】
この発明の第２の局面による表示装置は、光源が実装される実装面を有する基板と、基板の実装面と対向するように配置され、光源から入射された光を表示セルに導光する導光板と、基板の実装面とは反対側の面が取り付けられ、光源からの熱を放熱する機能を有する金属製の板状部材とを含む表示モジュールと、表示モジュールを内部に収容する筐体とを備え、板状部材は、基板が取り付けられる基板取付部と、基板取付部の一方端部から導光板とは反対側に延びる第１放熱部と、基板取付部の他方端部から第１放熱部とは反対側に延びる第２放熱部とを一体的に含む。
【００１４】
この発明の第２の局面による表示装置では、上記のように、基板の実装面とは反対側の面が取り付けられ、光源からの熱を放熱する機能を有する金属製の板状部材を、基板が取り付けられる基板取付部と、基板取付部の一方端部から導光板とは反対側に延びる第１放熱部と、基板取付部の他方端部から第１放熱部とは反対側に延びる第２放熱部とを一体的に含むように形成する。これにより、基板の実装面とは反対側の面が取り付けられた板状部材（基板取付部）に一体的に形成された第１放熱部および第２放熱部により、光源からの熱を光源に対して両側（第１放熱部の延びる方向側および第２放熱部の延びる方向側）に放熱することができる。その結果、光源からの熱を光源に対して両側に放熱するための部材を別個に設ける場合と異なり、部品点数を増加させることなく、光源からの熱を効率よく放熱することができる。
【図面の簡単な説明】
【００１５】
【図１】本発明の一実施形態による液晶テレビジョンの全体構成を示した斜視図である。
【図２】本発明の一実施形態による液晶テレビジョンのテレビジョン本体の内部構成を示した分解斜視図である。
【図３】図２の２００−２００線に沿った断面図である。
【図４】本発明の一実施形態による液晶表示モジュールのＬＥＤおよびガラスエポキシ基板の構成を示した斜視図である。
【図５】本発明の一実施形態による液晶表示モジュールからフロントベゼルと液晶表示セルとモールドフレームとを取り外した状態を平面的に見た図である。
【図６】本発明の一実施形態による液晶表示モジュールのリアフレームの全体構成を示した斜視図である。
【図７】本発明の一実施形態による液晶表示モジュールのリアフレームを下側からみた図である。
【図８】本発明の一実施形態の変形例による液晶表示モジュールの断面図である。
【発明を実施するための形態】
【００１６】
以下、本発明の実施形態を図面に基づいて説明する。
【００１７】
まず、図１〜図７を参照して、本発明の一実施形態による液晶テレビジョン１００の構成について説明する。なお、液晶テレビジョン１００は、本発明の「表示装置」の一例である。
【００１８】
本発明の一実施形態による液晶テレビジョン１００は、図１に示すように、映像が表示される表示部２０を有するテレビジョン本体１０と、テレビジョン本体１０を下方から（矢印Ｚ２方向側から）支持するスタンド部材３０とを備えている。
【００１９】
図１および図２に示すように、テレビジョン本体１０は、樹脂からなるフロントキャビネット１１およびリアキャビネット１２と、表示部２０を構成する液晶表示セル６０を有する液晶表示モジュール４０とを含んでいる。なお、フロントキャビネット１１およびリアキャビネット１２は、本発明の「筐体」の一例である。また、液晶表示モジュール４０および液晶表示セル６０は、それぞれ、本発明の「表示モジュール」および「表示セル」の一例である。
【００２０】
フロントキャビネット１１は、液晶テレビジョン１００の正面側（矢印Ｙ１方向側）に配置されている。このフロントキャビネット１１は、正面から見て（矢印Ｙ１方向側から見て）枠形状を有している。具体的には、フロントキャビネット１１は、正面から見て（矢印Ｙ１方向側から見て）略矩形形状の外形を有するとともに、略矩形形状の開口部１１ａを有している。なお、開口部１１ａは、表示部２０（液晶表示モジュール４０の液晶表示セル６０）を露出させるために設けられている。
【００２１】
リアキャビネット１２は、液晶テレビジョン１００の背面側（矢印Ｙ２方向側）に配置されている。このリアキャビネット１２は、フロントキャビネット１１に嵌合するように構成されている。また、リアキャビネット１２は、正面から見て（矢印Ｙ１方向側から見て）略矩形形状の外形を有するとともに、後方（矢印Ｙ２方向側）に凹む凹形状に形成されている。
【００２２】
図２に示すように、液晶表示モジュール４０は、テレビジョン本体１０のフロントキャビネット１１およびリアキャビネット１２の内部に収容される。また、図３に示すように、液晶表示モジュール４０は、バックライト部５０と、液晶表示セル６０と、バックライト部５０および液晶表示セル６０を保持するフロントフレーム４１、モールドフレーム４２およびリアフレーム４３とを含んでいる。なお、リアフレーム４３は、本発明の「板状部材」の一例であるとともに、本発明の「保持部材」の一例である。
【００２３】
図３に示すように、バックライト部５０は、リアフレーム４３の底面（後述する底部４３ａの矢印Ｙ１方向側の面）とモールドフレーム４２の底面（後述する底部４２ｂの矢印Ｙ２方向側の面）とが対向する領域に形成される空間の内部に保持されている。このバックライト部５０は、液晶表示セル６０の裏面（矢印Ｙ２方向側の面）に対して後方から（矢印Ｙ２方向側から）光を照射するように構成されている。具体的には、バックライト部５０は、光を発するＬＥＤ５１と、ＬＥＤ５１が実装されるガラスエポキシ基板５２と、ＬＥＤ５１から入射された光を液晶表示セル６０に導光する導光板５３と、導光板５３に入射された光を液晶表示セル６０側に反射する反射シート５４と、導光板５３から出射された光の輝度などを調整する光学シート５５とを備えている。なお、ＬＥＤ５１およびガラスエポキシ基板５２は、それぞれ、本発明の「光源」および「基板」の一例である。
【００２４】
図３に示すように、ＬＥＤ５１およびガラスエポキシ基板５２は、リアフレーム４３の下側（矢印Ｚ２方向側）の後述する壁部４３ｂ（基板取付部４３ｃ）の内側面に取り付けられている。なお、ＬＥＤ５１は、図４に示すように、左右方向（Ｘ方向）に延びる板状のガラスエポキシ基板５２の実装面５２ａ（矢印Ｚ１方向側の面）上に、ガラスエポキシ基板５２の延びる方向（Ｘ方向）に沿って所定の間隔を隔てて複数実装されている。また、ＬＥＤ５１とガラスエポキシ基板５２とは、リード端子５１ａを介して接続されている。
【００２５】
図３および図５に示すように、導光板５３は、ＬＥＤ５１の上方（矢印Ｚ１方向側）にＬＥＤ５１と所定の間隔を隔てて配置されているとともに、上下方向（Ｚ方向）および左右方向（Ｘ方向）に延びる略矩形形状の板状に形成されている。この導光板５３は、透光性を有するアクリルなどの樹脂からなる。また、反射シート５４は、導光板５３の裏面（矢印Ｙ２方向側の面）に接するように配置されているとともに、上下方向および左右方向に延びる略矩形形状の板状に形成されている。この反射シート５４は、光反射性を有するＰＥＴ（ポリエチレンテレフタラート）などの樹脂からなる。また、光学シート５５は、導光板５３の表面（矢印Ｙ１方向側の面）に接するように配置されているとともに、上下方向および左右方向に延びる略矩形形状の板状に形成されている。
【００２６】
図２および図３に示すように、フロントフレーム４１は、バックライト部５０の前方（矢印Ｙ１方向側）に配置されている。このフロントフレーム４１は、フロントキャビネット１１の背面（矢印Ｙ２方向側の面）に取り付けられる。また、フロントフレーム４１は、前方から見て（矢印Ｙ１方向側から見て）略矩形形状の外形を有するとともに、液晶表示セル６０を露出させるための略矩形形状の開口部４１ａを有している。具体的には、図３に示すように、フロントフレーム４１は、開口部４１ａを有する底部４１ｂと、底部４１ｂの外周部（Ｙ方向およびＺ方向の両端部）から底部４１ｂに対して略垂直方向（矢印Ｙ２方向）に延びる壁部４１ｃとを有している。なお、フロントフレーム４１は、ＳＥＣＣ（電気亜鉛めっき鋼板）などの金属からなる。
【００２７】
図３に示すように、モールドフレーム４２は、フロントフレーム４１の底面（底部４１ｂの矢印Ｙ２方向側の面）および壁部４１ｃの内側面に接するように配置されている。また、モールドフレーム４２は、開口部４２ａを有する底部４２ｂと、底部４２ｂの外周部（Ｙ方向およびＺ方向の両端部）から底部４２ｂに対して略垂直方向（矢印Ｙ２方向）に延びる壁部４２ｃとを有している。また、モールドフレーム４２の底部４２ｂの開口部４２ａ周辺のフロントフレーム４１側の部分には、段差部４２ｄが設けられている。この段差部４２ｄとフロントフレーム４１との間には、上下方向（Ｚ方向）および左右方向（Ｘ方向）に延びる板状の液晶表示セル６０の外周部近傍が挟み込まれている。なお、モールドフレーム４２は、樹脂からなる。
【００２８】
図３に示すように、リアフレーム４３は、モールドフレーム４２の壁部４２ｃの内側面に接するとともに、バックライト部５０の反射シート５４に接するように配置されている。また、リアフレーム４３は、図３、図５および図６に示すように、前方から見て（矢印Ｙ１方向側から見て）略矩形形状の外形を有するとともに、後方（矢印Ｙ２方向側）に凹む凹形状に形成されている。具体的には、リアフレーム４３は、開口を有しない板状の底部４３ａと、底部４３ａの外周部（Ｙ方向およびＺ方向の両端部）から底部４３ａに対して略垂直方向（矢印Ｙ１方向）に延びる板状の壁部４３ｂとを有している。なお、これら板状の底部４３ａおよび壁部４３ｂの厚みｔ（図３参照）は、約０．６ｍｍである。また、リアフレーム４３は、ＳＥＣＣ（電気亜鉛めっき鋼板）などの金属からなる。また、リアフレーム４３は、後述するように、ＬＥＤ５１から伝達された熱を放熱する機能を有している。
【００２９】
ここで、本実施形態では、図３および図５〜図７に示すように、リアフレーム４３は、ガラスエポキシ基板５２が取り付けられる基板取付部４３ｃと、基板取付部４３ｃの一方端部（矢印Ｙ１方向側の端部）に連続して形成された第１放熱部４３ｄと、基板取付部４３ｃの他方端部（矢印Ｙ２方向側の端部）に連続して形成された第２放熱部４３ｅとを一体的に含むように構成されている。
【００３０】
リアフレーム４３の基板取付部４３ｃは、図３および図５に示すように、ガラスエポキシ基板５２の実装面５２ａとは反対側の面（矢印Ｚ２方向側の面）が取り付けられる板状に形成されている。具体的には、基板取付部４３ｃは、壁部４３ｂのリアフレーム４３の下側（矢印Ｚ２方向側）の部分である。
【００３１】
また、リアフレーム４３の第１放熱部４３ｄは、図５〜図７に示すように、基板取付部４３ｃの一方端部（矢印Ｙ１方向側の端部）から導光板５３とは反対側（矢印Ｚ２方向側）に延びる板状に形成されている。この板状の第１放熱部４３ｄは、基板取付部４３ｃの一方端部の左右方向（Ｘ方向）の両端部近傍に設けられた２つの溝部４３ｆの間の部分から延びるように形成されている。また、この板状の第１放熱部４３ｄは、図３および図６に示すように、基板取付部４３ｃの他方端部側（矢印Ｙ２方向側）に折り返されている。具体的には、第１放熱部４３ｄは、基板取付部４３ｃの一方端部（矢印Ｙ１方向側の端部）に連続して形成される平坦部分４３ｇと、平坦部分４３ｇの基板取付部４３ｃとは反対側の端部（矢印Ｚ２方向側の端部）に連続して形成される折り返し部４３ｈとにより構成されている。
【００３２】
第１放熱部４３ｄの平坦部分４３ｇは、図３および図６に示すように、基板取付部４３ｃの一方端部（矢印Ｙ１方向側の端部）から基板取付部４３ｃに対して略直交する方向（矢印Ｚ２方向）に延びる平坦面状に形成されている。なお、図３に示すように、平坦部分４３ｇと基板取付部４３ｃとが連続する境界部分（角部４３ｉ）は、丸みを帯びた断面形状を有している。
【００３３】
また、第１放熱部４３ｄの折り返し部４３ｈは、図３および図６に示すように、平坦部分４３ｇの基板取付部４３ｃとは反対側の端部（矢印Ｚ２方向側の端部）から平坦部分４３ｇに対して略直交する方向（矢印Ｙ２方向）に延びるように形成されている。なお、折り返し部４３ｈと平坦部分４３ｇとが連続する境界部分（角部４３ｊ）は、丸みを帯びた断面形状を有している。また、折り返し部４３ｈと基板取付部４３ｃとは、所定の間隔Ｄ１（図３参照）を隔てて互いに略平行になるように配置されている。この折り返し部４３ｈと基板取付部４３ｃとの間の間隔Ｄ１（図３参照）は、約２ｍｍ以上約３ｍｍ以下とするのが好ましい。
【００３４】
また、リアフレーム４３の第２放熱部４３ｅは、図３および図６に示すように、ガラスエポキシ基板５２の基板取付部４３ｃの他方端部（矢印Ｙ２方向側の端部）から第１放熱部４３ｄとは反対側（矢印Ｚ１方向側）に延びる板状に形成されている。具体的には、第２放熱部４３ｅは、リアフレーム４３の底部４４ａである。
【００３５】
以上のような構成により、ＬＥＤ５１が光を発する際に発生する熱は、ガラスエポキシ基板５２を介してリアフレーム４３の基板取付部４３ｃに伝達される。そして、基板取付部４３ｃに伝達された熱は、基板取付部４３ｃの一方端部（矢印Ｙ１方向側の端部）側から第１放熱部４３ｄ（平坦部分４３ｇおよび折り返し部４３ｈ）を介して放熱されるとともに、基板取付部４３ｃの他方端部（矢印Ｙ２方向側）側から第２放熱部４３ｅを介して放熱される。すなわち、ＬＥＤ５１からの熱は、ＬＥＤ５１に対して両側（第１放熱部４３ｄの延びる方向側（矢印Ｚ２方向側）および第２放熱部４３ｅの延びる方向側（矢印Ｚ１方向側））に放熱される。
【００３６】
本実施形態では、上記のように、ガラスエポキシ基板５２の実装面５２ａとは反対側の面（矢印Ｚ２方向側の面）が取り付けられるとともにＬＥＤ５１からの熱を放熱する機能を有する金属製のリアフレーム４３を、ガラスエポキシ基板５２が取り付けられる基板取付部４３ｃと、基板取付部４３ｃの一方端部（矢印Ｙ１方向側の端部）から導光板５３とは反対側（矢印Ｚ２方向側）に延びる第１放熱部４３ｄと、基板取付部４３ｃの他方端部（矢印Ｙ２方向側の端部）から第１放熱部４３ｄとは反対側（矢印Ｚ１方向側）に延びる第２放熱部４３ｅとを一体的に含むように形成する。
【００３７】
これにより、ガラスエポキシ基板５２の実装面５２ａとは反対側の面が取り付けられたリアフレーム４３（基板取付部４３ｃ）に一体的に形成された第１放熱部４３ｄおよび第２放熱部４３ｅによって、ＬＥＤ５１からの熱をＬＥＤ５１に対して両側（第１放熱部の延びる方向側（矢印Ｚ２方向側）および第２放熱部の延びる方向側（矢印Ｚ１方向側））に放熱することができる。その結果、ＬＥＤ５１からの熱をＬＥＤ５１に対して両側に放熱するための部材を別個に設ける場合と異なり、部品点数を増加させることなく、ＬＥＤ５１からの熱を効率よく放熱することができる。
【００３８】
また、本実施形態では、上記のように、リアフレーム４３の第１放熱部４３ｄを、基板取付部４３ｃの他方端部側（矢印Ｙ２方向側）に折り返された折り返し部４３ｈを含むように構成する。これにより、第１放熱部４３ｄを基板取付部４３ｃの他方端部側に折り返すことによって、第１放熱部４３ｄの導光板５３に対して反対方向（矢印Ｚ２方向）の長さ（平面積）を小さくしながら、放熱面積を大きくすることができる。その結果、液晶表示モジュール４０の省スペース化を図りながら、第１放熱部４３ｄによる放熱効果を向上させることができる。
【００３９】
また、本実施形態では、上記のように、リアフレーム４３の第１放熱部４３ｄを、基板取付部４３ｃの一方端部（矢印Ｙ１方向側の端部）から基板取付部４３ｃに対して略直交する方向（矢印Ｚ２方向）に延びる平坦面状の平坦部分５３ｇと、平坦部分４３ｇの端部から基板取付部４３ｃの他方端部側（矢印Ｙ２方向側）に折り返された折り返し部４３ｈとにより構成する。これにより、平坦面状の平坦部分５３ｇと、平坦部分４３ｇの端部から基板取付部４３ｃの他方端部側（矢印Ｙ２方向側）に折り返された折り返し部４３ｈとによって、放熱面積を容易に大きくすることができる。その結果、第１放熱部４３ｄによる放熱効果を容易に向上させることができる。
【００４０】
また、本実施形態では、上記のように、ＬＥＤ５１からの熱を放熱する機能を有するリアフレーム４３を、導光板５３およびガラスエポキシ基板５２を保持するリアフレーム４３とする。このように構成すれば、ＬＥＤ５１からの熱を放熱するための部材と導光板５３およびガラスエポキシ基板５２を保持するための部材とを別部材とする場合に比べて、部品点数をさらに減少させることができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明を表示装置としての液晶テレビジョンに適用する例を示したが、本発明はこれに限らない。本発明は、ＰＣ（Ｐｅｒｓｏｎａｌ  Ｃｏｍｐｕｔｅｒ）のモニタなどの他の表示装置にも適用可能である。
【００４３】
また、上記実施形態では、リアフレームの第１放熱部を折り返し部を含むように構成する例を示したが、本発明はこれに限らない。本発明では、リアフレームの第１放熱部を折り返し部を含まないように構成してもよい。たとえば、リアフレームの第１放熱部を平坦部分のみにより構成してもよい。
【００４４】
また、上記実施形態では、リアフレームの第１放熱部を平坦部分と折り返し部とにより構成する液晶表示モジュールを示したが、本発明はこれに限らない。本発明では、図８に示す変形例のように、リアフレーム４４の第１放熱部４４ｄを折り返し部４４ｆのみにより構成する液晶表示モジュール４０ａとしてもよい。この変形例では、図８に示すように、折り返し部４４ｆは、基板取付部４４ｃ（リアフレーム４４の下側（矢印Ｚ２方向側）の壁部４４ｂ）の一方端部（矢印Ｙ１方向側）から平坦部分を介さずに基板取付部４４ｃの他方端部側（矢印Ｙ２方向側）に折り返されている。また、この変形例では、第２放熱部４４ｅは、リアフレーム４４の底部４４ａである。なお、液晶表示モジュール４０ａは、本発明の「表示モジュール」の一例である。
【００４５】
上記図８に示す変形例では、第１放熱部４４ｄを平坦部分を介さずに基板取付部４４ｃの他方端部側（矢印Ｙ２方向側）に折り返すことにより、第１放熱部４４ｄの導光板５３に対して反対方向（矢印Ｚ２方向）の長さ（平面積）をより小さくすることができるので、液晶表示モジュール４０ａの更なる省スペース化を図ることができる。なお、上記変形例では、図８に示すように、基板取付部４４ｃと折り返し部４４ｆとの間に僅かな空間（間隔Ｄ２）が設けられているが、本発明では、基板取付部と折り返し部との間に空間がなくてもよい。
【００４６】
また、上記実施形態では、本発明の板状部材と本発明の保持部材とが同一の部材（リアフレーム）である例を示したが、本発明はこれに限らない。本発明では、板状部材と保持部材とが別部材であってもよい。すなわち、板状部材が放熱専用のヒートシンク部材であってもよい。
【符号の説明】
【００４７】
１１  フロントキャビネット
１２  リアキャビネット
４０、４０ａ  液晶表示モジュール（表示モジュール）
４３、４４  リアプレート（板状部材、保持部材）
４３ｃ、４４ｃ  基板取付部
４３ｄ、４４ｄ  第１放熱部
４３ｅ、４４ｅ  第２放熱部
４３ｆ  平坦部分
４３ｇ、４４ｆ  折り返し部
５１  ＬＥＤ（光源）
５２  ガラスエポキシ基板（基板）
５２ａ  実装面
５３  導光板
６０  液晶表示セル（表示セル）
１００  液晶テレビジョン（表示装置）
【図１】
2012221787.tif 000003
【図２】
2012221787.tif 000004
【図３】
2012221787.tif 000005
【図４】
2012221787.tif 000006
【図５】
2012221787.tif 000007
【図６】
2012221787.tif 000008
【図７】
2012221787.tif 000009
【図８】
2012221787.tif 000010